(57)【要約】【課題】部品点数の増加を抑えてバリア機構の組み立て性を向上させることができるカメラを提供する。【解決手段】レンズ前面を開閉するバリア羽根（２、２’）と、バリア羽根を支持し、レンズ鏡筒に対して光軸周り一方向への回転によって組み込まれるベース部材（１）と、バリア機構の外装を構成するカバー部材（５）とを備え、カバー部材が、光軸方向に延び、ベース部材を貫通してレンズ鏡筒と係合する係合部（５ａ〜５ｃ）と、レンズ鏡筒に形成された突起部に当接することでベース部材の光軸周り他方向への変位を阻止するための凸部（５ｄ）とを有する。【選択図】  図２
2004258152.tif 000002
【特許請求の範囲】
【請求項１】
レンズを保持し、光軸方向に繰り出し繰り込み可能なレンズ鏡筒と、このレンズ鏡筒の先端に配置されたバリア機構とを有するカメラにおいて、
前記バリア機構が、
前記レンズ鏡筒の繰り出し繰り込み動作に応じてレンズ前面を開閉するバリア羽根と、
このバリア羽根を支持し、前記レンズ鏡筒に対して光軸周り一方向への回転によって組み込まれるベース部材と、
前記バリア機構の外装を構成するカバー部材とを備えており、
前記カバー部材が、光軸方向に延び、前記ベース部材を貫通して前記レンズ鏡筒と係合する係合部と、前記レンズ鏡筒に形成された突起部に当接することで前記ベース部材の光軸周り他方向への変位を阻止するための凸部とを有することを特徴とするカメラ。
【発明の詳細な説明】
【０００１】
【発明の属する技術分野】
本発明は、カメラのレンズバリア機構に関するものである。
【０００２】
【従来の技術】
従来のコンパクトカメラは、レンズ開口部を開閉してレンズ前面を保護するバリア機構をレンズ鏡筒の前面に備えているタイプが一般化している。このバリア機構は、レンズ鏡筒が非撮影位置から撮影位置に移動するのに連動させて２枚のバリア羽根を閉状態から開状態へと移行させるものである（例えば、特許文献１、２参照）。
【０００３】
このバリア機構の分解斜視図を図７に示す。図７において、駆動部材１０３は、レンズ鏡筒１０４のレンズ保持部１０４ｂの外周面を摺動面として光軸周りに回転可能となるように組み込まれている。バリア開きバネ１０７は、この一端がレンズ鏡筒１０４のピン１０４ａに係合し、他端が駆動部材１０３に形成されたフック１０３ａに係合しており、駆動部材１０３を時計方向（矢印ｂ方向）に付勢している。
【０００４】
レンズ鏡筒がカメラ本体内に繰り込んだ状態にあるときには、駆動部材１０３のカム部１０３ｃがカメラ本体と係合することで、バリア開きバネ１０７の付勢力に抗して矢印ａ方向に所定量回転した状態で保持される。そして、レンズ鏡筒がカメラ本体から繰り出すと、カメラ本体およびカム部１０３ｃとの係合が解除されて、駆動部材１０３はバリア開きばね１０７の付勢力を受けて矢印ｂ方向に回転する。
【０００５】
ベース部材１０１は、レンズ保持部１０４ｂの前面に配置されており、図８に示すように係合爪１０１ｂがレンズ鏡筒１０４に形成された係合部１０４ｃと係合することで、レンズ鏡筒１０４に装着される。
【０００６】
すなわち、ベース部材１０１およびレンズ鏡筒１０４を光軸周りに相対的に回転させると、係合部１０４ｃが係合爪１０１ｂのテーパ面を乗り上げて、凹部１０１ｇにはまり込む。この係合爪１０１ｂおよび係合部１０４ｃは、いわゆるバヨネット機構となっている。
【０００７】
ここで、ストッパ面１０１ｅが係合部１０４ｃに当接することで、ベース部材１０１の矢印ａ方向への回転を阻止し、係合爪１０１ｂが係合部１０４ｃに当接することで、ベース部材１０１の矢印ｂ方向への回転を阻止する。
【０００８】
レンズ鏡筒１０４およびベース部材１０１間に配置される駆動部材１０３は、ベース部材１０１がレンズ鏡筒１０４に装着されることにより、光軸方向への移動が阻止される。
【０００９】
一対のバリア羽根１０２、１０２’は、孔部１０２ａ、１０２ａ’がベース部材１０１に突設されたピン１０１ａ、１０１ａ’に係合することにより、ピン１０１ａ、１０１ａ’に対して回動可能に支持されている。バリア閉じバネ１０６、１０６’は、この一端がベース部材１０１のピン１０１ｃ、１０１ｃ’に係合するとともに、他端がバリア羽根１０２、１０２’のピン１０２ｂ（不図示）、１０２ｂ’に係合することにより、バリア羽根１０２、１０２’を閉じ方向（ベース部材１０１の開口部１０１ｆを閉じる方向）に付勢する。
【００１０】
ここで、駆動部材１０３が光軸周り（矢印ｂ方向）に回転すると、端面１０３ｂ、１０３ｂ’がバリア羽根１０２、１０２’のピン（１０２ｃ’）をバリア閉じバネ１０６、１０６’の付勢力に抗して押し込み、バリア羽根１０２、１０２’を開き駆動する。
【００１１】
カバー部材１０５は、この中央に被写体光束を通過させる開口部１０５ｂを有しており、端板部１０５ａをベース部材１０１の切り欠き部１０１ｄに係合させることにより、ベース部材１０１に対して光軸周りの回転が阻止される。そして、カバー部材１０５は、バリア羽根１０２、１０２’の前面に配置され、レンズ鏡筒１０４に接着固定される。
【００１２】
【特許文献１】
登録実用新案第２５４４３２９号公報
【特許文献２】
特開２０００−２３１１３８号公報
【００１３】
【発明が解決しようとする課題】
上述した従来のバリア機構において、バリア羽根１０２、１０２’の開閉動作等の際に、ベース部材１０１に対して矢印ａ方向の負荷が加わった場合には、ベース部材１０１に設けられたストッパ面１０１ｅが係合部１０４ｃに当接することにより、ベース部材１０１の矢印ａ方向の回転を阻止する。
【００１４】
一方、ベース部材１０１に矢印ｂ方向の負荷が加わった場合には、係合爪１０１ｂが係合部１０４に当接することにより、ベース部材１０１の矢印ｂ方向の回転を阻止することになる。
【００１５】
しかしながら、係合爪１０１ｂおよび係合部１０４は、上述したようにバヨネット機構となっており、係合爪１０１ｂおよび係合部１０４の当接面は、ストッパ面１０１ｅおよび係合部１０４の当接面に比べて小さくなっている。このため、ベース部材１０１に対して矢印ｂ方向に過度の負荷が加わった場合には、係合爪１０１ｂが係合部１０４ｃを乗り越えてベース部材１０１が矢印ｂ方向に回転してしまう恐れがある。
【００１６】
このような場合には、閉じ状態にあるバリア羽根１０２、１０２’が開き状態となってしまうことがあり、レンズ前面を保護することができなくなってしまう。
【００１７】
この問題を防ぐ方法としては、ベース部材１０１をレンズ鏡筒１０４にビス締めで固定したり、ベース部材１０１をバヨネット方式にてレンズ鏡筒１０４に装着した後、接着剤を塗布することでベース部材１０１およびレンズ鏡筒１０４を固定したりする方法がある。
【００１８】
しかしながら、前者の方法では、ビスを使用するために部品点数が増える（コストアップとなる）とともに、ビス締めを行うために組立て工程が増えるという問題がある。また、後者の方法では、接着剤を塗布するために組立て工程が増加する問題がある。
【００１９】
そこで、本発明は、ベース部材がレンズ鏡筒から外れるのを防止しつつ、部品点数の増加を抑え、組み立て性を向上させることができるバリア機構を備えたカメラを提供することを目的とする。
【００２０】
【課題を解決するための手段】
本発明は、レンズを保持し、光軸方向に繰り出し繰り込み可能なレンズ鏡筒と、このレンズ鏡筒の先端に配置されたバリア機構とを有するカメラにおいて、バリア機構が、レンズ鏡筒の繰り出し繰り込み動作に応じてレンズ前面を開閉するバリア羽根と、このバリア羽根を支持し、レンズ鏡筒に対して光軸周り一方向への回転によって組み込まれるベース部材と、バリア機構の外装を構成するカバー部材とを備えており、カバー部材が、光軸方向に延び、ベース部材を貫通してレンズ鏡筒と係合する係合部と、レンズ鏡筒に形成された突起部に当接することでベース部材の光軸周り他方向への変位を阻止するための凸部とを有することを特徴とする。
【００２１】
【発明の実施の形態】
以下、本発明の１実施形態であるカメラについて図を参照しながら説明する。図１および図２は、本実施形態におけるバリア機構の分解斜視図であり、それぞれ異なる角度から見た図を示している。
【００２２】
図３はバリア機構の部分拡大図である。図４は開き状態におけるバリア機構の正面図であり、図５は閉じ状態におけるバリア機構の正面図である。図６は、本実施形態のカメラの外観斜視図（概略図）である。
【００２３】
図６において、２１はカメラ本体であり、この内部には撮影に必要な各種部材が収納されている。２２はレリーズボタンであり、半押し操作で撮影準備動作（測光動作および焦点調節動作等）が開始され、全押し操作で撮影動作（フィルムやＣＣＤ等の撮像素子への露光）が開始される。
【００２４】
２３は被写体像を観察するためのファインダユニットであり、２４はＡＦ補助光等を投光する投光部である。２５は被写体に向けて照明光を照射するストロボ装置である。
【００２５】
２６は撮影レンズ（不図示）を保持するレンズ鏡筒であり、カメラ本体２１内に収納された沈胴状態と、カメラ本体２１から繰り出した撮影状態との間で移動可能（繰り出し繰り込み可能）となっている。このレンズ鏡筒２６の前面には、後述するバリア機構が設けられている。
【００２６】
図１および図２において、駆動部材３は、レンズ鏡筒４（レンズ鏡筒２６の一部）のレンズ保持部４ｂの外周面に対して、光軸周りに回転可能となるように組み込まれている。
【００２７】
バリア開きバネ７は、この一端がレンズ鏡筒４に形成されたピン４ａに係合するとともに、他端が駆動部材３に形成されたフック３ａに係合することにより、駆動部材３を矢印ｂ方向（時計方向）に付勢する。
【００２８】
ベース部材１は、レンズ保持部４ｂの前面に配置されており、係合爪１ｂとレンズ鏡筒４に形成された係合部４ｃとがバヨネット方式によって係合することでレンズ鏡筒４に装着される。
【００２９】
具体的には図３（ａ）に示すように、ベース部材１をレンズ鏡筒４に対して矢印ａ方向（反時計方向）に回転させると、係合爪１ｂがレンズ鏡筒４に形成された係合部４ｃを乗り越えて、係合部４ｃの端面に当接することでベース部材１がレンズ鏡筒４に装着される（バヨネット機構）。
【００３０】
ベース部材１がレンズ鏡筒４に装着された状態において、ベース部材１の外周縁に形成されているアーム１ｆは、図３（ｂ）に示すように、係合部４ｃと、レンズ鏡筒４の内周面に凸状に形成され、周方向に延びる端部４ｈとに当接するようになっている。これにより、ベース部材１は、光軸方向への移動が阻止される。なお、図３（ｂ）は、図３（ａ）の矢印Ａ方向から見たときの、レンズ鏡筒４およびベース部材１の係合状態を示す図である。
【００３１】
レンズ鏡筒４およびベース部材１間に配置される駆動部材３は、ベース部材１がレンズ鏡筒４に装着されることにより、光軸方向への移動が阻止された状態でレンズ鏡筒４に支持される。
【００３２】
駆動部材３の外周には、駆動部材３の径方向に突出するとともに、光軸方向に延びるカム３ｃが形成されており、このカム３ｃの先端には斜向カム面３ｄが形成されている。
【００３３】
一対のバリア羽根２、２’は、この基端部に形成された孔部２ａ、２ａ’が、ベース部材１に形成された光軸方向に延びるピン１ａ、１ａ’に嵌合することにより、ピン１ａ、１ａ’に対して回転可能に支持される。バリア羽根２、２’は、ピン１ａ、１ａ’を中心に回転することにより、ベース部材１に形成された開口部１ｇを覆った状態（閉じ状態）と、開口部１ｇから退避した状態（開き状態）との間で移動する。
【００３４】
バリア閉じバネ６、６’は、この一端がベース部材１のピン１ｃ、１ｃ’に係合するとともに、他端がバリア羽根２、２’のピン２ｂ、２ｂ’に係合することにより、バリア羽根２、２’を閉じ状態の方向に付勢する。
【００３５】
カバー部材５は、この中央に形成され、被写体光束を通過させる開口部５ｅと、カバー部材５の周方向３箇所に形成され、光軸方向に延びる保持部（係合部）５ａ、５ｂ、５ｃとを有している。このカバー部材５は、保持部５ａ〜５ｃの先端に形成された係合爪を、レンズ鏡筒４に形成された係合部４ｄ、４ｅ、４ｆに係合させることにより、レンズ鏡筒４に装着される。ここで、保持部５ａ〜５ｃおよび係合部４ｄ〜４ｆは、同じ位相関係にある。
【００３６】
カバー部材５は、レンズ鏡筒４に装着されることで、バリア羽根２、２’を物体側（レンズ鏡筒２６の先端側）から押さえ込み、バリア羽根２、２’がベース部材１（ピン１ａ、１ａ’）から外れるのを防止する。
【００３７】
カバー部材５をレンズ鏡筒４に装着する際、保持部５ａはベース部材１の外周に形成された切り欠き部１ｄに係合することにより、ベース部材１に対して位相を合わせるとともに、後述するようにベース部材１が光軸周り一方向に回転するのを阻止する。
【００３８】
次に、上述した構成のバリア機構において、バリア羽根２、２’の開閉動作について説明する。
【００３９】
レンズ鏡筒４が繰り出し動作により沈胴状態から撮影状態に移動する場合には、駆動部材３がバリア開きバネ７の付勢力を受けることにより、矢印ｂ方向に回転する。このとき、駆動部材３の外周縁に形成された端面３ｂ、３ｂ’が、バリア羽根２、２’のピン２ｃ、２ｃ’に当接して、ピン２ｃ、２ｃ’を矢印ｂ方向に押し込む。
【００４０】
これにより、バリア羽根２、２’は、バリア閉じバネ６、６’の付勢力に抗して、ベース部材１に突設されたピン１ａ、１ａ’を回転中心として時計方向（図５）に回転し、ベース部材１の開口部１ｇ（カバー部材５の開口部５ｅ）から退避する。このとき、バリア機構は、図４に示すように開き状態となり、被写体からの光はレンズ鏡筒４（２６）内に入射するようになる。
【００４１】
一方、レンズ鏡筒４が繰り込み動作により撮影状態から沈胴状態に移動する場合には、駆動部材３のカム３ｃが斜向カム面３ｄにおいてカメラ本体に形成された不図示のカム面に当接することで、このカム面に沿って移動する。
【００４２】
これにより、駆動部材３が、バリア開きバネ７の付勢力に抗して矢印ａ方向に回転することで、端面３ｂ、３ｂ’によるピン２ｃ、２ｃ’の矢印ｂ方向への押し込みを解除する。このとき、バリア羽根２、２’は、バリア閉じバネ６、６’の付勢力を受けることにより、ピン１ａ、１ａ’を中心に閉じ状態の方向に回転する。
【００４３】
バリア機構は、最終的には図５に示す閉じ状態となり、バリア羽根２、２’は、ベース部材１の開口部１ｇ（カバー部材５の開口部５ｅ）を覆った状態となる。
【００４４】
バリア機構が閉じ状態にあるとき、駆動部材３の端面３ｂ、３ｂ’は、図５に示すようにバリア羽根２、２’（ピン２ｃ、２ｃ’）から離れており、バリア羽根２、２’は、バリア閉じバネ６、６’の付勢力を受けて互いに当接した位置で停止している。
【００４５】
以上の動作をするバリア機構において、バリア羽根２、２’の開閉動作時等にベース部材１に矢印ａ方向の負荷が加わった場合、ベース部材１の外周に設けられたストッパ１ｅが、レンズ鏡筒４の内周面に形成された凸部４ｇに当接することにより、ベース部材１の矢印ａ方向への回転を阻止する。
【００４６】
ここで、ベース部材１に加わる矢印ａ方向の負荷は、例えば、レンズ鏡筒４が撮影状態から繰り込む際に生じる場合がある。すなわち、レンズ鏡筒４の繰り込み動作によって駆動部材３の斜向カム面３ｄがカメラ本体に形成されたカム面に当接した際、カメラ本体のカム面が駆動部材３を矢印ａ方向に回転させるとともにレンズ鏡筒４の前面側に突き上げられることにより、駆動部材３がベース部材１に当接して、ベース部材１に矢印ａ方向の負荷を与えることになる。
【００４７】
一方、ベース部材１に矢印ｂ方向の負荷が加わった場合、図３（ａ）に示すように係合爪１ｂが係合部４ｃの一端面に係合しているため、ベース部材１の矢印ｂ方向の回転をある程度阻止する。
【００４８】
しかしながら、係合爪１ｂおよび係合部４ｃの係合を解除するような負荷が加わった場合には、従来技術で説明したように係合爪１ｂが係合部４ｃから外れてベース部材１が矢印ｂ方向に回転してしまうことになる。
【００４９】
そこで、本実施形態では、保持部５ａを切り欠き部１ｄと係合させて、ベース部材１およびカバー部材５が光軸周り（矢印ａ、ｂ方向）に一体的に回転するようにしておき、カバー部材５（ベース部材１）が矢印ｂ方向に回転しようとする際に、カバー部材５の外周に形成された端板部（凸部）５ｄを、レンズ鏡筒４の内周面に形成された凸部４ｇに当接させるようにしている。
【００５０】
これにより、カバー部材５の矢印ｂ方向の回転を阻止するとともに、ベース部材１の矢印ｂ方向の回転を阻止することができる。
【００５１】
ここで、ベース部材１に加わる矢印ｂ方向の負荷は、例えば、バリア機構が開き状態にあるときに生じる場合がある。すなわち、バリア機構が開き状態にあるとき、駆動部材３（端面３ｂ）はバリア閉じバネ６、６’の付勢力に抗してピン２ｃ、２ｃ’を矢印ｂ方向に最も押し込んでおり、この状態のときにバリア閉じバネ６、６’に最大の負荷がかかるため、バリア閉じバネ６、６’の一端と係合しているベース部材１のピン１ｃ、１ｃ’には矢印ｂ方向の負荷が多くかかることになる。
【００５２】
本実施形態におけるバリア機構の構成によれば、ベース部材１をバヨネット機構を介してレンズ鏡筒４に装着した後、カバー部材５をレンズ鏡筒４に組み込むだけで、バリア羽根２、２’の開閉動作時等にベース部材１に光軸周り（矢印ａ、ｂ方向）の負荷が加わっても、バヨネット機構が外れるのを防止することができる。
【００５３】
すなわち、図４や図５に示すように、矢印ａ方向の負荷に対しては、ストッパ１ｅが凸部４ｇに当接することにより、ベース部材１が矢印ａ方向に変位するのを防止する。また、矢印ｂ方向の負荷に対しては、端板部５ｄが凸部４ｇに当接することにより、ベース部材１が矢印ｂ方向に変位するのを防止する。
【００５４】
これにより、従来技術のようにベース部材をレンズ鏡筒にビス締めで固定する方法や、ベース部材をバヨネット機構を介してレンズ鏡筒に装着した後、接着剤等を塗布して固定する方法に比べて、部品点数の増加を抑えることができるとともにバリア機構の組立て性を向上させることができる。
【００５５】
以上説明した実施形態は、以下に示す各発明を実施した場合の一例でもあり、下記の各発明は上記実施形態に様々な変更や改良が加えられて実施されるものである。
【００５６】
〔発明１〕  レンズを保持し、光軸方向に繰り出し繰り込み可能なレンズ鏡筒と、このレンズ鏡筒の先端に配置されたバリア機構とを有するカメラにおいて、
前記バリア機構が、
前記レンズ鏡筒の繰り出し繰り込み動作に応じてレンズ前面を開閉するバリア羽根と、
このバリア羽根を支持し、前記レンズ鏡筒に対して光軸周り一方向への回転によって組み込まれるベース部材と、
前記バリア機構の外装を構成するカバー部材とを備えており、
前記カバー部材が、光軸方向に延び、前記ベース部材を貫通して前記レンズ鏡筒と係合する係合部と、前記レンズ鏡筒に形成された突起部に当接することで前記ベース部材の光軸周り他方向への変位を阻止するための凸部とを有することを特徴とするカメラ。
【００５７】
上記発明１によれば、カバー部材の係合部をレンズ鏡筒に係合させる（カバー部材をレンズ鏡筒に装着する）だけでベース部材が光軸周りに変位するのを防止でき、ベース部材がレンズ鏡筒から外れるのを防止することができる。
【００５８】
すなわち、本発明の構成によれば、係合部がベース部材を貫通することでカバー部材およびベース部材が一体となって動作するようになっており、ベース部材が外力を受けてレンズ鏡筒から外れる方向（光軸周り他方向）に変位しようとしても、ベース部材とともに変位するカバー部材の凸部がレンズ鏡筒の突起部に当接することで、ベース部材の変位を阻止するようになっている。
【００５９】
これにより、上述した課題で説明したようにビスを用いてベース部材をレンズ鏡筒に固定したり、ベース部材をレンズ鏡筒に接着させて固定したりする場合に比べて、部品点数や組み立て工程の増加を抑えることができる。
【００６０】
〔発明２〕  前記ベース部材が、前記レンズ鏡筒とのバヨネット係合により前記レンズ鏡筒に組み込まれることを特徴とする前記発明１に記載のカメラ。
【００６１】
〔発明３〕  前記ベース部材が、この外周に前記係合部と当接する切り欠き部を有することを特徴とする前記発明１又は２に記載のカメラ。
【００６２】
【発明の効果】
本発明のカメラによれば、部品点数の増加を抑えてバリア機構の組み立て性を向上させることができる。
【図面の簡単な説明】
【図１】本実施形態におけるバリア機構の分解斜視図。
【図２】本実施形態におけるバリア機構の分解斜視図。
【図３】バリア機構の部分拡大図。
【図４】開き状態におけるバリア機構の正面図。
【図５】閉じ状態におけるバリア機構の正面図。
【図６】本実施形態であるカメラの外観斜視図。
【図７】従来技術におけるバリア機構の分解斜視図。
【図８】従来技術におけるバリア機構の部分拡大図。
【符号の説明】
１  ベース部材
２  バリア羽根
３  駆動部材
４  レンズ鏡筒
５  カバー部材
６  バリア閉じバネ
７  バリア開きバネ
１０１  ベース部材
１０２  バリア羽根
１０３  駆動部材
１０４  レンズ鏡筒
１０５  カバー部材
【図１】
2004258152.tif 000003
【図２】
2004258152.tif 000004
【図３】
2004258152.tif 000005
【図４】
2004258152.tif 000006
【図５】
2004258152.tif 000007
【図６】
2004258152.tif 000008
【図７】
2004258152.tif 000009
【図８】
2004258152.tif 000010